(57)【要約】【課題】携帯端末装置に表示される画面を表示する表示部を備えた車載装置および同装置を有する車載システムにおいて、車載装置側の操作性を向上させることを目的とする。【解決手段】表示部を備えた車載装置に、携帯端末装置から画面の遷移経路を含む遷移情報を取得する遷移情報取得部と、遷移情報取得部により取得された遷移情報に基づき、所定の目的画面を表示させるまでの画面の遷移経路の順に、携帯端末装置に画面を遷移させるためのコマンドを配列してコマンド列を生成するコマンド列生成部と、コマンド列に対応付けた操作部が操作された場合に、操作部に対応付けられたコマンド列を携帯端末装置へ送信する送信部とを設けた。【選択図】        図６
2010127781.tif 000002
【特許請求の範囲】
【請求項１】
携帯端末装置に表示される画面を表示する表示部を備えた車載装置であって、
所定の開始画面から目的画面を表示するまでに階層的に画面遷移を行う前記携帯端末装置から、当該携帯端末装置が目的画面を表示するまでの画面の遷移経路を含む遷移情報を取得する遷移情報取得部と、
前記遷移情報取得部により取得された遷移情報に基づき、所定の目的画面を表示させるまでの画面の遷移経路の順に、前記携帯端末装置に画面を遷移させるためのコマンドを配列してコマンド列を生成するコマンド列生成部と、
前記コマンド列生成部により生成された前記コマンド列に対応付けられた操作部と、
前記操作部が操作された場合に、前記操作部に対応付けられた前記コマンド列を前記携帯端末装置へ送信する送信部と
を有することを特徴とする車載装置。
【請求項２】
前記操作部に対応付ける前記コマンド列を設定する設定部を有することを特徴とする請求項１に記載の車載装置。
【請求項３】
前記表示部の表示画面中に前記操作部として機能する操作用画像を表示する表示制御部を有することを特徴とする請求項１又は請求項２に記載の車載装置。
【請求項４】
該車載装置が搭載されている車両に関する車両情報を取得する車両情報取得部と、
前記車両情報取得部により取得された前記車両情報に基づいて、前記車両の状態を判定する判定部と
を備え、
前記表示制御部は、前記判定部による判定結果に応じた所定の目的画面を表示させるまでの画面の遷移経路の順に配列された前記コマンド列に対応する前記操作用画像を前記表示部に表示させることを特徴とする請求項３に記載の車載装置。
【請求項５】
携帯端末装置と、前記携帯端末装置に表示される画面を表示する表示部を備えた車載装置とを有する車載システムであって、
前記車載装置は、
所定の開始画面から目的画面を表示するまでに階層的に画面遷移を行う前記携帯端末装置から、当該携帯端末装置が目的画面を表示するまでの画面の遷移経路を含む遷移情報を取得する遷移情報取得部と、
前記遷移情報取得部により取得された遷移情報に基づき、所定の目的画面を表示させるまでの画面の遷移経路の順に、前記携帯端末装置に画面を遷移させるためのコマンドを配列してコマンド列を生成するコマンド列生成部と、
前記コマンド列生成部により生成された前記コマンド列に対応付けられた操作部と、
前記操作部が操作された場合に、前記操作部に対応付けられた前記コマンド列を前記携帯端末装置へ送信する送信部と
を有することを特徴とする車載システム。
【発明の詳細な説明】
【技術分野】
【０００１】
本発明は、車載装置および同装置を有する車載システムに関するものであり、特に、携帯端末装置に表示される画面を表示する表示部を備えた車載装置および同装置を有する車載システムに関するものである。
【背景技術】
【０００２】
ＧＰＳ（Global  Positioning  System）を利用したカーナビゲーションシステムの普及に伴い、車両には、ナビゲーション機能を有する車載装置が搭載される場合が多くなってきた。また、車載装置の多機能化を求めるユーザニーズに応えるために、車載装置の多機能化も顕著となってきている。
【０００３】
たとえば、車載装置には、ナビゲーション機能に加えて、テレビ受信機能、ＣＤ（Compact  Disc）再生機能、ＤＶＤ（Digital  Versatile  Disk）再生機能などの多くの機能が盛り込まれることも多い。しかし、車載装置の多機能化は車載装置の高価格化を招くため、ユーザにとって好ましいものではない。
【０００４】
一方、携帯電話などの携帯端末装置は、低価格でありながら、ナビゲーション機能や音楽再生機能を有するものも普及してきている。また、ブルートゥース（登録商標）などの近距離無線通信機能を搭載する携帯端末装置も普及してきたことから、かかる近距離無線通信機能で携帯端末装置と車載装置とを連携させ、携帯端末装置側の機能を車載装置側で利用する取り組みもなされている。これにより、車載装置の低価格化を図ることが可能となる。
【０００５】
たとえば、特許文献１には、携帯端末装置の画面に表示される表示画面を車載装置へ送信し、携帯端末装置の画面よりもサイズの大きい車載装置のディスプレイに対して携帯端末装置で生成された表示画面を表示する技術が開示されている。
【０００６】
この技術によれば、ユーザは、携帯端末装置の画面に表示される表示画面と同じ画面を携帯端末装置の画面よりもサイズの大きい車載装置のディスプレイで見ることができるので、走行中に車体の揺れが発生した場合であっても、携帯端末装置の画面に表示される情報を車載装置のディスプレイによって容易に視認することができる。
【０００７】
また、この特許文献１には、車載装置のディスプレイ上に携帯端末装置の英数字キーなどのタッチスイッチを表示し、車載装置側から携帯端末装置を操作可能とする技術が開示されている。
【０００８】
この技術によれば、車載装置のディスプレイに表示したタッチスイッチを操作することによって、携帯端末装置の英数字キーなどを操作することなく携帯端末装置の機能を車載装置側で利用することができる。
【０００９】
【特許文献１】特開２００３−２４４３４３号公報
【発明の開示】
【発明が解決しようとする課題】
【００１０】
しかしながら、特許文献１の技術では、携帯端末の機能を車載装置で利用する際に、車載装置のディスプレイにおいて携帯端末装置の英数字キーの操作と同様の操作をする必要があったため、その操作が煩雑であった。
【００１１】
すなわち、携帯電話機などの携帯端末装置は、小型化を図るために操作スイッチの数が必要最小限に抑えられており、一つの操作スイッチの操作に対して複数の機能が割当てられている。そのため、携帯端末装置は、一つの操作スイッチを複数回操作することや、複数の操作スイッチの操作の組み合わせによって、一つの機能が利用できるように構成されていることが少なくない。
【００１２】
たとえば、携帯端末装置のナビゲーション（以下、「ナビ」という。）機能により、所望する目的地までの道のりの案内を受けようとする場合、ユーザは、ナビ機能を起動させた後、ナビ機能のメニュー画面から目的地の種類を選択させる画面を表示させる操作、表示された目的地の候補から所望の目的地を選択する操作、選択した目的地までの案内を開始させる操作という一連の操作を行う必要がある。特に、目的地名を手入力する場合には、テンキーの操作を組み合わせて入力しなければならない。
【００１３】
このように、携帯端末装置の操作スイッチを操作して所望の機能を利用する場合には煩雑な操作が必要なため、この操作を車載装置のディスプレイを用いて行う場合にも同様に煩雑な操作が必要となる。特に、助手席の同乗者が走行中にディスプレイ等を操作する場合には、車体の揺れなどに起因して誤操作をするおそれがあるため、携帯端末装置に表示される画面を車載装置のディスプレイに表示させる車載システムにおいては、車載装置側の操作性を向上させる必要があった。
【００１４】
そこで、本発明では、携帯端末装置に表示される画面を表示する表示部を備えた車載装置および同装置を有する車載システムにおいて、車載装置側の操作性を向上させることを目的とする。
【課題を解決するための手段】
【００１５】
本発明に係る車載装置は、携帯端末装置に表示される画面を表示する表示部を備えた車載装置であって、所定の開始画面から目的画面を表示するまでに階層的に画面遷移を行う前記携帯端末装置から、当該携帯端末装置が目的画面を表示するまでの画面の遷移経路を含む遷移情報を取得する遷移情報取得部と、前記遷移情報取得部により取得された遷移情報に基づき、所定の目的画面を表示させるまでの画面の遷移経路の順に、前記携帯端末装置に画面を遷移させるためのコマンドを配列してコマンド列を生成するコマンド列生成部と、前記コマンド列生成部により生成された前記コマンド列に対応付けられた操作部と、前記操作部が操作された場合に、前記操作部に対応付けられた前記コマンド列を前記携帯端末装置へ送信する送信部とを有することを特徴とする。
【発明の効果】
【００１６】
本発明によれば、煩雑な操作をすることなく、コマンド列に対応付けられた操作部を操作するだけで、結果的に車載装置の表示部に所定の目的画面を表示させることができるので、携帯端末装置に表示される画面を表示する表示部を備えた車載装置および同装置を有する車載システムにおいて、車載装置側の操作性を向上させることができる。
【発明を実施するための最良の形態】
【００１７】
以下、本発明の一実施形態について図面を参照して具体的に説明する。本実施形態では、自動車に搭載されるＤＡ（Display  Audio）と呼ばれる車載装置と、所定のセンタからアプリケーションプログラム（以下、「アプリ」という。）や画像データ、音声データなどの各種データを受信する携帯端末装置としての携帯電話機とが、近距離無線通信機能で連携する車載システムに対して、本発明を適用した場合を例に挙げて説明する。
【００１８】
ここで、ＤＡとは、表示機能や音楽データ再生機能、携帯電話機との通信機能といった基礎的な機能のみを実装し、携帯電話機と連携することで多機能化する車載装置のことを指す。
【００１９】
図１は、本実施形態に係る車載システムＳの概要を示す説明図である。図１に示すように、本実施形態に係る車載システムＳは、車載装置１と携帯電話機２とを備えている。なお、図１中の符号３は、携帯電話機２に対して、各種のデータを提供するセンタである。
【００２０】
本実施形態における携帯電話機２は、後述の制御部２１０（図６参照）内に複数種類のアプリを格納しており、制御部２１０が各アプリを実行することによって起動するＧＰＳ（Global Positioning System）によるナビゲーション（以下、「ナビ」という。）機能、音楽データ再生機能等の多様な機能を備えている。そして、この携帯電話機２は、実行中のアプリに対応した画像が表示部２０１に表示されるように構成されている。
【００２１】
たとえば、この携帯電話機２でナビアプリ２１２（図６参照）が実行されている場合、図１に示すように、表示部２０１には、現在位置を示す地図画面Ｍ１が表示され、目的地までのルートが案内される。
【００２２】
また、この携帯電話機２は、後述の連携アプリ２１１（図６参照）を起動することによって、携帯電話機２の表示部２０１に表示する画面に対応する画像データや、携帯電話機２で再生する音楽データをBluetooth（登録商標）を用いた無線通信により車載装置１へ送信して、車載装置１側で携帯電話機２の表示部２０１に表示される画面の表示や、携帯電話機２で再生する音楽の再生ができるように構成している。
【００２３】
車載装置１は、携帯電話機２の表示部２０１よりも表示画面のサイズが大きな表示部１０１を備えている。そして、この車載装置１は、携帯電話機２と同様に連携アプリ１２３（図６参照）を備えており、この連携アプリ１２３が起動されることによって、携帯電話機２から音楽データを受信して再生することができる他、携帯電話機２から、携帯電話機２の表示部２０１に表示される画面（以下、「携帯画面」という。）に対応する画像データを受信して表示部１０１に表示できるように構成している。
【００２４】
たとえば、この車載システムＳにおいて、車載装置１および携帯電話機２の両方で連携アプリ１２３、２１１が実行され、携帯電話機２の表示部２０１にナビ機能によって現在位置を示す地図画面Ｍ１が表示されているとき、車載装置１の表示部１０１には、携帯画面と同じ地図画面Ｍ１が携帯電話機２よりも大きな画面サイズで表示される。
【００２５】
また、この車載装置１の表示部１０１は、タッチパネル機能を備えており、ユーザが表示画面上の所定位置に触れることによって、車載装置１に各種動作を行わせることができるように構成している。
【００２６】
特に、本実施形態の車載装置１は、連携アプリ１２３の実行中において、単純に携帯画面を表示するのではなく、当該車載装置１の表示部１０１に表示している携帯画面上に、携帯電話機２の表示部２０１に表示されていない操作用画像としてのショートカットＳＣを表示させ、ユーザがこのショートカットＳＣの表示位置に触れるだけで、携帯電話機２のボタン操作を複数種類組み合わせた操作を行った場合と同様に携帯電話機２を動作させることができるように構成している。
【００２７】
かかる構成により、この車載システムＳのユーザは、走行中の車内において携帯電話機２の小さなボタンを何度も操作するという煩雑な作業を行う必要がなくなり、携帯電話機２に比べて画面サイズの大きな車載装置１の表示部１０１に表示されるショートカットＳＣを操作するだけで、携帯電話機２に所望の動作を行わせ、その動作に応じた携帯画面を車載装置１側の表示部１０１に表示させることができるので、車載装置の操作性が向上する。
【００２８】
ここで、携帯電話機２を操作して、携帯電話機２の表示部２０１に自宅までのルート案内を表示させる場合と、本実施形態の車載システムＳにより、車載装置１の表示部１０１を操作して、車載装置１の表示部１０１に自宅までのルート案内を表示させる場合との操作性の違いについて、図２〜図４を参照して説明する。
【００２９】
図２は、携帯電話機２に予め規定されている階層的な画面遷移に関する情報を示す説明図であり、図３は、携帯電話機２を操作して、携帯電話機２の表示部２０１に自宅までのルート案内を表示させるまでの画面遷移を示す説明図であり、図４は、車載装置１の表示部１０１を操作して、車載装置１の表示部１０１に自宅までのルート案内を表示させるまでの画面遷移を示す説明図である。
【００３０】
携帯電話機２は、所定の開始画面からユーザが所望する各目的画面を表示するまでに、階層的に携帯画面を画面遷移するように予め規定されており、たとえば、ナビアプリ２１２の実行中には、図２に示す階層的な画面遷移に関する情報（以下、「遷移情報」という。）に基づいて、順次携帯画面の画面遷移を行うように規定されている。図２に示す遷移情報は、ナビアプリ２１２の一部として携帯電話機２の制御部２１０に記憶されている。
【００３１】
そして、携帯電話機２は、ナビアプリ２１２の実行中にユーザによる所定の操作を受付けると、この遷移情報に基づいて順次携帯画面の画面遷移を行う。なお、遷移情報は、携帯電話機２で実行される各アプリ毎にそれぞれ記憶されている。
【００３２】
図２に示すように、遷移情報には、携帯電話機２がナビアプリ２１２の起動中に表示する携帯画面の遷移経路を示す情報と、表示中の各携帯画面を次の携帯画面へ画面遷移させるための各コマンドを示す情報とが含まれている。
【００３３】
この遷移情報からわかるように、携帯電話機２は、所定の開始画面から各目的画面を表示するまでに、階層的に画面遷移を行うように予めプログラミングされている。そして、携帯電話機２は、ユーザによる上記住所ボタンやカーソルボタン、決定ボタンなどの操作（以下、「携帯操作」という。）を検知する度に、その携帯操作に対応したコマンドに従って、遷移経路における上層側の携帯画面から、下層側の携帯画面へ順次段階的に画面遷移を行い、最終的に目的画面を表示させる。
【００３４】
本実施形態では、ナビアプリ２１２の実行中において、現在地を示す地図画面Ｍ１などのナビ画面（地図・メニュー）が開始画面として規定されている。
【００３５】
そして、この携帯電話機２は、開始画面であるナビ画面の表示中に検知した携帯操作がコマンドＡ１に対応していた場合、ナビ画面から中間画面である目的地種別選択画面Ｍ２に画面遷移を行うように規定されている。
【００３６】
また、携帯電話機２は、目的地種別選択画面Ｍ２の表示中に検知した携帯操作がコマンドＢ１に対応していた場合は、目的地を手入力する目的地入力画面への画面遷移を行い、携帯操作がコマンドＢ２に対応していた場合は、周辺施設を選択するための周辺施設選択画面への画面遷移を行い、携帯操作がコマンドＢ３に対応していた場合は、目的地を自宅に設定するための自宅選択画面Ｍ３への画面遷移を行うように規定されている。
【００３７】
また、携帯電話機２は、周辺施設選択画面の表示中に検知した携帯操作がコマンドＣ１に対応していた場合、周辺施設のジャンルを選択させるジャンル選択画面への画面遷移を行うように規定されている。
【００３８】
そして、この携帯電話機２は、その後の携帯操作についても同様に、携帯画面の表示中に検知した各コマンド（コマンドＤ１〜Ｄ６、Ｅ１〜Ｅ７、Ｆ１〜Ｆ９）に従って、表示中の携帯画面を画面遷移の遷移経路における一階層下の携帯画面へ画面遷移させるように規定されている。
【００３９】
このように階層的に画面遷移を行うように規定された携帯電話機２を操作して、携帯電話機２の表示部２０１に自宅までのルート案内の開始画面を表示させる場合、ユーザは、まず、図３（ａ）に示すように、携帯電話機２に設けられた住所ボタンを操作して、所定の開始画面である現在地の地図画面Ｍ１から、図３（ｂ）に示すように、第１の中間画面である目的地種別選択画面Ｍ２に携帯画面を画面遷移させる。
【００４０】
このとき、携帯電話機２では、制御部２１０が上記遷移情報を参照して、ユーザによる住所ボタンの操作に対応したコマンドＡ１に基づいて動作することにより、携帯画面を地図画面Ｍ１から目的地種別選択画面Ｍ２に画面遷移させる。
【００４１】
目的地種別選択画面Ｍ２では、目的地を手入力により入力して選択する「目的地入力」と、目的地を現在地の周辺施設から選択する「周辺施設」と、予め設定された自宅を目的地として選択する「自宅」という３種類の選択肢が表示される。目的地種別選択画面Ｍ２では、デフォルトとして「目的地入力」が選択された状態となっている。
【００４２】
次に、ユーザは、「自宅」を選択するために、携帯電話機２のカーソルボタン（下向き）を２回操作することによって、図３（ｃ）に示すように、携帯画面を目的地種別選択画面Ｍ２から自宅選択画面Ｍ３に画面遷移させる。
【００４３】
このとき、携帯電話機２では、制御部２１０がユーザによるカーソルボタンの操作に対応したコマンドＢ３に基づいて動作することにより、携帯画面を目的地種別選択画面Ｍ２から自宅選択画面Ｍ３に画面遷移させる。
【００４４】
次に、ユーザは、携帯電話機２の決定ボタンを操作することによって、図３（ｄ）に示すように、携帯画面を自宅選択画面Ｍ３から所望の目的画面である自宅案内画面Ｍ４に画面遷移させる。
【００４５】
このとき、携帯電話機２では、制御部２１０がユーザによる決定ボタンの操作に対応したコマンドＦ９に基づいて動作することにより、携帯画面を自宅選択画面Ｍ３から自宅案内画面Ｍ４に画面遷移させる。
【００４６】
このように、携帯電話機２は、所定の開始画面からユーザが所望する目的画面を表示するまでに、階層的に画面遷移を行うように予め規定されているため、携帯電話機２を操作して、自宅案内画面Ｍ４を表示させるためには、携帯電話機２を複数回操作して、段階的（階層的）に携帯画面を画面遷移させなければならない。
【００４７】
これに対して、本実施形態の車載システムＳでは、図４（ａ）に示すように、車載装置１の表示部１０１に、携帯電話機２と同一の地図画面Ｍ１を表示しているとき、その画面上に自宅案内画面Ｍ４を表示させるためのショートカットＳＣを表示させる。
【００４８】
そして、この車載装置１は、ユーザがこのショートカットＳＣの表示位置に触れるだけで、図４（ｂ）に示すように、表示部１０１に自宅案内画面Ｍ４を表示させることができるように構成している。
【００４９】
すなわち、この車載装置１は、携帯電話機２から、予め上記遷移情報を取得し、その遷移情報から携帯電話機２に画面遷移を行わせるためのコマンド群を選択して、所定の目的画面を表示させるまでの携帯画面の遷移経路の順に各コマンドを配列したコマンド列を生成するように構成している。
【００５０】
そして、車載装置１は、生成したコマンド列とショートカットＳＣとを対応付けたコマンド列テーブルを記憶すると共に、コマンド列と対応付けたショートカットＳＣを表示部１０１に表示させ、ユーザによりショートカットＳＣが操作された場合に、ショートカットＳＣに対応付けられているコマンド列を携帯電話機２へ送信するように構成している。
【００５１】
図５は、コマンド列テーブルの一例を示す説明図である。図５に示すように、このコマンド列テーブルには、自宅案内画面Ｍ４を表示させるためのショートカットＳＣ「自宅」に対応付けてＡ１／Ｂ３／Ｆ９というコマンド列が記憶されている。
【００５２】
また、このコマンド列テーブルには、最寄のガソリンスタンド（ＧＳ）一覧を表示させるショートカットＳＣ「ＧＳ一覧」に対応付けて、Ａ１／Ｂ２／Ｃ１／Ｄ１／Ｅ２というコマンド列、最寄の和食店の一覧を表示させるためのショートカットＳＣ「和食一覧」に対応付けて、Ａ１／Ｂ２／Ｃ１／Ｄ６／Ｅ６というコマンド列なども記憶されている。
【００５３】
なお、このコマンド列テーブルは、ユーザが任意に設定変更することができるように構成している。また、コマンド列テーブルに設定した複数のショートカットＳＣのうち、表示部１０１に表示させるショートカットＳＣをユーザが任意に選択できるように構成している。
【００５４】
そして、この車載装置１は、表示部１０１に表示しているショートカットＳＣが操作された場合に、そのショートカットＳＣと対応付けられているコマンド列を携帯電話機２へ送信する。
【００５５】
たとえば、車載装置１は、ユーザが「自宅」と表示されたショートカットＳＣの表示位置に触れたことを検知すると、Ａ１／Ｂ３／Ｆ９というコマンド列を一度に携帯電話機２に送信する。
【００５６】
そして、このコマンド列を受信した携帯電話機２は、Ａ１／Ｂ３／Ｆ９というコマンド列の各コマンドに基づいて、瞬時に携帯画面の画面遷移を行い、その携帯画面に対応した画像データを車載装置１へ送信する。
【００５７】
ユーザが携帯電話機２を操作して、携帯電話機２にＡ１／Ｂ３／Ｆ９というコマンド列に対応した画面遷移を行わせるためには、Ａ１、Ｂ３、Ｆ９という各コマンドに対応した操作を順次行う必要があるが、本実施形態の車載装置１によれば、ユーザが「自宅」と表示されたショートカットＳＣを一度操作するだけで、携帯電話機２にＡ１／Ｂ３／Ｆ９というコマンド列に対応した画面遷移を行わせることができる。
【００５８】
次に、本実施形態に係る車載装置１および携帯電話機２の構成について、図６を参照して説明する。図６は、本実施形態に係る車載装置１および携帯電話機２の構成を示す機能ブロック図である。
【００５９】
ここでは、まず、携帯電話機２の構成を説明する。図６に示すように、本実施形態に係る携帯電話機２は、表示部２０１と、操作部２０２と、記憶部２０３と、マイク２０４と、スピーカ２０５と、制御部２１０とを備えている。
【００６０】
表示部２０１は、小型の液晶表示装置により構成しており、制御部２１０による表示制御にしたがって、制御部２１０により実行されるアプリに対応した各種情報を表示する。
【００６１】
操作部２０２は、テンキースイッチやカーソルスイッチ等のスイッチ類により構成されており、ユーザの操作に対応した操作信号を制御部２１０へ出力することにより、制御部２１０を動作させる。また、マイク２０４は、当該携帯電話機２により通話を行う際にユーザの声音を集音する集音部として機能するものであり、スピーカ２０５は、通話相手の声音を出音する出音部として機能するものである。また、記憶部２０３は、フラッシュメモリ等の不揮発性記憶装置により構成しており、センタ３から受信した各種データを記憶する。
【００６２】
制御部２１０は、携帯電話機２全体の動作を統括制御する機能を備えておりＣＰＵ（Central Processing Unit）とＲＯＭ（Read Only Memory）とＲＡＭ（Random Access Memory）とを備えた情報処理装置により構成している。
【００６３】
この制御部２１０のＲＯＭには、携帯電話機２のナビ機能や音楽データ再生機能等を車載装置１で利用可能とするための連携アプリ２１１、ＧＰＳによる現在位置表示や目的地までのルート案内を可能とするためのナビアプリ２１２、センタ３から受信した音楽データを再生するための音楽アプリ２１３等のプログラムが記憶されている。
【００６４】
そして、この制御部２１０は、ＣＰＵがＲＯＭに記憶している各種アプリを読み出し、ＲＡＭを作業領域として使用して実行することにより、車載装置１との連携機能、ナビ機能、音楽再生機能等の各種機能を実現する。
【００６５】
たとえば、制御部２１０は、ナビアプリ２１２を実行することによって、センタ３のデータベース３００から現在位置を示す地図データを受信して表示部２０１に現在位置を示す地図画面Ｍ１等を表示させる。
【００６６】
また、この制御部２１０は、音楽アプリ２１３を実行することによって、センタ３から音楽データを受信して記憶部２０３に記憶させ、ユーザの操作に基づいて、その音楽データの再生を行う。
【００６７】
また、この制御部２１０は、連携アプリ２１１を実行することによって、車載装置１の再生情報受信部１１１へ車載装置１側の連携アプリ１２３の実行要求を送信して、車載装置１の制御部１００に連携アプリ１２３の実行を開始させる。
【００６８】
このとき、携帯電話機２で音楽アプリ２１３を実行している場合、携帯電話機２の制御部２１０は、再生中の音楽データと、その曲名等を示すデータを車載装置１へ送信する。また、携帯電話機２でナビアプリ２１２を実行している場合、携帯電話機２の制御部２１０は、現在地を示す地図画面Ｍ１に対応した画像データを車載装置１へ送信する。
【００６９】
次に、車載装置１の構成について説明する。車載装置１は、表示部１０１とスピーカ１０２と、制御部１００とを備えている。表示部１０１は、携帯電話機２の表示部２０１よりも画面サイズが大きな液晶表示装置により構成している。
【００７０】
そして、この表示部１０１は、車載装置１及び携帯電話機２の双方で各連携アプリ１２３、２１１が実行されているときに、制御部１００の制御に基づいて、車載装置１に表示される携帯画面を表示する。
【００７１】
また、この表示部１０１は、タッチパネル機能を備えており、制御部１００の制御により画面中にショートカットＳＣ等の操作用画像１３１を表示した場合には、その操作用画像１３１の表示領域が操作部１５０として機能する。
【００７２】
そして、表示部１０１は、操作部１５０が操作された場合に、制御部１００に対して、その操作に対応した所定の操作信号を出力する。そして、制御部１００は、この操作部１５０から入力された操作信号に応じて、各種処理を実行する。
【００７３】
また、スピーカ１０２は、車載装置１及び携帯電話機２の双方で各連携アプリ１２３、２１１が実行されているときに、携帯電話機２で音楽データが再生されている場合、携帯電話機２から受信した音楽データを音声として出力する。
【００７４】
制御部１００は、車載装置１全体の動作を統括制御する機能を備えており、再生情報受信部１１１、送信部１１２、コマンド列生成部１１３、遷移情報取得部１１４、設定部１１５、判定部１１６、記憶部１２０、表示制御部１３０、車両情報取得部１４０を備えている。
【００７５】
再生情報受信部１１１は、携帯電話機２から送信される連携アプリ１２３の実行要求、各種画像データ、各種音楽データ等を受信する処理部である。本実施形態では、この再生情報受信部１１１が連携アプリ１２３の実行要求を受信すると、制御部１００内で記憶部１２０に記憶されている連携アプリ１２３が実行され、送信部１１２、コマンド列生成部１１３、遷移情報取得部１１４、設定部１１５、判定部１１６、表示制御部１３０、車両情報取得部１４０がそれぞれ動作を開始する。
【００７６】
また、この再生情報受信部１１１は、携帯電話機２から受信した画像データを表示部１０１へ出力して携帯画面の表示を行わせる処理や、携帯電話機２から受信したデジタルの音楽データをアナログの音楽信号に変換してスピーカ１０２へ出力することにより、携帯電話機２で再生中の音楽をスピーカ１０２から出力させる処理を行う。
【００７７】
送信部１１２は、表示部１０１から入力された操作信号、コマンド列テーブル１２２から選択された所定のコマンド列等、車載装置１から携帯電話機２へ各種信号及びデータを送信する処理部である。
【００７８】
遷移情報取得部１１４は、携帯電話機２から携帯画面の画面遷移に関する遷移情報１２１（図２参照）を取得して、その遷移情報１２１を記憶部１２０に記憶させる処理部である。
【００７９】
本実施形態では、表示部１０１がユーザによる遷移情報設定のための操作を検知すると、その操作に対応した操作信号を送信部１１２を介して、携帯電話機２へ送信する。携帯電話機２は、この操作信号を受信すると、車載装置１へ向けて遷移情報１２１を送信する。そして、この携帯電話機２から送信された遷移情報１２１を遷移情報取得部１１４が取得して、記憶部１２０に記憶させる。
【００８０】
コマンド列生成部１１３は、記憶部１２０に遷移情報１２１が記憶されると、その遷移情報１２１から携帯電話機２に画面遷移させるためのコマンド群を選択して抽出する。そして、このコマンド列生成部１１３は、抽出した各コマンドを、携帯電話機２に所定の目的画面を表示させるまでの携帯画面の遷移経路の順となるように配列することにより、複数のコマンド列を生成する。
【００８１】
そして、このコマンド列生成部１１３は、生成したコマンド列を記憶部１２０に記憶させることによって、コマンド列テーブル（図５参照）を作成する。
【００８２】
表示制御部１３０は、表示部１０１の表示画面中に操作部１５０として機能する操作用画像１３１を表示する処理部であり、具体的には、表示部１０１に表示中の携帯画面上に、ショートカットＳＣを表示させる。この表示制御部１３０は、予め複数種類の操作用画像１３１を記憶している。
【００８３】
設定部１１５は、操作部１５０に対応付けるコマンド列を設定する処理部であり、具体的には、コマンド列テーブル１２２に記憶されているコマンド列と、表示制御部１３０に記憶されている操作用画像１３１とを対応付けてコマンド列テーブル１２２に記憶させる。
【００８４】
この設定部１１５は、ユーザによる操作部１５０の操作がショートカット設定に対応するものであった場合、現時点でコマンド列テーブル１２２に記憶されているコマンド列の末尾のコマンドにより表示される携帯画面（目的画面）に対応する操作用画像１３１を、表示制御部１３０によってショートカット一覧として表示部１０１に表示させる。
【００８５】
たとえば、コマンド列テーブル１２２に、図５に示すような３つのコマンド列（Ａ１／Ｂ３／Ｆ９）、（Ａ１／Ｂ２／Ｃ１／Ｄ１／Ｅ２）、（Ａ１／Ｂ２／Ｃ１／Ｄ６／Ｅ６）が記憶されていた場合、「自宅」、「ＧＳ一覧」、「和食一覧」という３つのショートカットＳＣを一覧表示する。なお、この時点では、コマンド列テーブル１２２に操作用画像１３１としてのショートカットＳＣは記憶されていない。
【００８６】
その後、設定部１１５は、ユーザによりショートカット一覧から特定のショートカットＳＣが選択されると、選択されたショートカットＳＣ（操作部１５０として機能する操作用画像１３１）を、そのショートカットＳＣに対応する携帯画面（目的画面）を表示させるコマンドが末尾となっているコマンド列に対応付けて、コマンド列テーブル１２２に記憶させる。
【００８７】
たとえば、「自宅」、「ＧＳ一覧」、「和食一覧」という３つのショートカットＳＣがそれぞれユーザよって選択された場合に、図５に示すようなコマンド列テーブル１２２が完成することとなる。
【００８８】
そして、本実施形態の車載装置１では、連携アプリ１２３の実行中に、携帯電話機２でナビアプリ２１２が実行されている場合、表示制御部１３０がコマンド列テーブル１２２に記憶されている操作用画像１３１を操作部１５０として機能するショートカットＳＣとして表示部１０１に表示させる。
【００８９】
このショートカットＳＣがユーザにより操作されると、車載装置１では、送信部１１２がコマンド列テーブル１２２を参照して、操作されたショートカットＳＣに対応付けられているコマンド列を携帯電話機２へ送信することにより、携帯電話機２に送信したコマンド列に応じた携帯画面の画面遷移を行わせ、その携帯画面を再生情報受信部１１１で受信して、表示部１０１に表示させる。
【００９０】
車両情報取得部１４０は、当該車載装置１が搭載されている車両に関する情報を取得する処理部であり、燃料残量検知部１４１と継続運転検知部１４２とを備えている。
【００９１】
燃料残量検知部１４１は、車両の燃料の残量を検知して、その検知情報を判定部１１６へ出力する処理部である。また、継続運転検知部１４２は、車両の運転時間および運転距離を計測して、その計測結果情報を判定部１１６へ出力する処理部である。この継続運転検知部１４２は、運転席に設けた着座センサ（図示略）が運転者の着座を検知している期間における車両の走行時間および走行距離を計測することによって、運転時間および運転距離を計測する。
【００９２】
判定部１１６は、車両情報取得部１４０により取得された車両情報に基づいて、車両の状態を判定する処理部である。この判定部１１６は、燃料残量検知部１４１から入力される検知情報に基づき、車両の燃料の残量が所定の値を下回った（燃料がニアエンプティ状態になった）と判定した場合に、その旨を示す判定結果を表示制御部１３０へ出力する。
【００９３】
また、この判定部１１６は、継続運転検知部１４２から入力される測定結果情報に基づき、継続運転時間または継続運転距離を示す値が所定の値に達したと判定した場合に、その旨を示す判定結果を表示制御部１３０へ出力する。
【００９４】
そして、表示制御部１３０は、判定部１１６による判定結果に応じた所定の目的画面を表示部１０１に表示させるまでの携帯画面の遷移経路の順に配列されたコマンド列に対応する操作用画像１３１を表示部１０１に表示させる。
【００９５】
たとえば、表示制御部１３０は、判定部１１６から車両の燃料がニアエンプティ状態になったことを示す判定結果が入力されると、「ＧＳ一覧」というショートカットＳＣを表示部１０１に表示させ、継続運転時間または継続運転距離を示す値が所定値に達したことを示す判定結果が入力されると、「休憩所一覧」というショートカットＳＣを表示部１０１に表示させる。
【００９６】
そして、このショートカットＳＣがユーザにより操作された場合、送信部１１２は、操作されたショートカットＳＣに対応するコマンド列を携帯電話機２へ送信する。たとえば、「ＧＳ一覧」というショートカットＳＣが操作された場合、送信部１１２は、Ａ１／Ｂ２／Ｃ１／Ｄ１／Ｅ２というコマンド列を携帯電話機２へ送信する。
【００９７】
記憶部１２０は、携帯電話機２から取得した遷移情報１２１（図２参照）、コマンド列テーブル１２２、連携アプリ１２３等のデータを記憶している。
【００９８】
なお、本実施形態では、コマンド列テーブルにデフォルトとして、車両の燃料がニアエンプティ状態になった場合に表示する「ＧＳ一覧」というショートカットＳＣと、最寄りのＧＳを一覧表示させるためのコマンド列（Ａ１／Ｂ２／Ｃ１／Ｄ１／Ｅ２）とが対応付けられて記憶されている。
【００９９】
また、継続運転時間または継続運転距離を示す値が所定値に達したときに表示するショートカットＳＣ（休憩所一覧）と対応付けるコマンド列は、ユーザが任意に設定する。
【０１００】
次に、本実施形態に係る車載装置１の制御部１００が実行する処理について、図７〜図９を参照して説明する。図７〜図９は、本実施形態に係る車載装置１の制御部１００が実行する処理を示すフローチャートである。
【０１０１】
車載装置１に電源が投入されると、制御部１００は、図７に示すように、まず、連携アプリ１２３が実行中であるか否かの判定を行う（ステップＳ１０１）。車載装置１の連携アプリ１２３は、携帯電話機２の連携アプリ２１１が実行されると、それに連動して実行される。
【０１０２】
このステップＳ１０１において、制御部１００は、連携アプリ１２３が実行中であると判定した場合（ステップＳ１０１：Ｙｅｓ）、処理をステップＳ１０２へ移し、連携アプリ１２３が実行中でないと判定した場合（ステップＳ１０１：Ｎｏ）、処理を終了する。
【０１０３】
ステップＳ１０２において、制御部１００は、ユーザによる設定操作があったか否かの判定を行い、設定操作があったと判定した場合（ステップＳ１０２：Ｙｅｓ）、車載装置の各種設定を行う設定処理を実行し（ステップＳ１０３）、その後、処理を終了する。この設定処理については、後に図８を参照して具体的に説明する。
【０１０４】
一方、制御部１００は、設定操作がないと判定した場合（ステップＳ１０２：Ｎｏ）、処理をステップ１０４へ移し、携帯電話機２でナビアプリ２１２が実行中であるか否かの判定を行う。
【０１０５】
そして、制御部１００は、ナビアプリ２１２が実行中であると判定した場合（ステップＳ１０４：Ｙｅｓ）、携帯電話機２に表示されるナビ画面を車載装置１の表示部１０１に表示させる連携ナビ表示処理を実行し（ステップＳ１０５）、その後、処理を終了する。この連携ナビ表示処理については、後に、図９を参照して具体的に説明する。
【０１０６】
一方、制御部１００は、ナビアプリ２１２が実行中でないと判定した場合（ステップＳ１０４：Ｎｏ）、処理をステップＳ１０６へ移して、携帯電話機２で実行中の他のアプリと連携した他のアプリとの連携処理を実行し、その後、処理を終了する。
【０１０７】
他のアプリとの連携処理において、制御部１００は、たとえば、携帯電話機２で音楽アプリ２１３が実行中である場合、携帯電話機２で再生中の楽曲をスピーカ１０２から出音させると共に、その楽曲のタイトル等を表示部１０１に表示させる処理を行う。なお、制御部１００は、携帯電話機２で他のアプリが実行されていない場合には、ステップＳ１０６の処理を行うことなく、処理を終了する。
【０１０８】
次に、図８を参照して、制御部１００がステップＳ１０３で実行する設定処理について説明する。設定処理が開始されると、制御部１００は、図８に示すように、ユーザによる設定操作が遷移情報設定を行うための操作であったか否かを判定する（ステップＳ２０１）。
【０１０９】
そして、制御部１００は、遷移情報設定を行うための操作であったと判定した場合（ステップＳ２０１：Ｙｅｓ）、携帯電話機２から遷移情報１２１を取得する処理を行い（ステップＳ２０２）、取得した遷移情報１２１を記憶部１２０に記憶させる。
【０１１０】
その後、制御部１００は、記憶部１２０に記憶した遷移情報１２１から、携帯電話機２に携帯画面の画面遷移を行わせるための各コマンドを抽出し、それらの各コマンドを画面遷移の各遷移経路の順に配列することによって、複数のコマンド列を生成する（ステップＳ２０３）。
【０１１１】
続いて、制御部１００は、ステップＳ２０３で生成した各コマンド列を記憶部１２０に記憶させることによってコマンド列テーブルを作成し（ステップＳ２０４）、その後、処理をステップＳ２０５へ移す。
【０１１２】
一方、ステップＳ２０１において、制御部１００は、ユーザによる設定操作が遷移情報設定を行うための操作でなかったと判定した場合（ステップＳ２０１：Ｎｏ）、ユーザによる設定操作がショートカット設定を行うための操作であったか否かの判定を行う（ステップＳ２０６）。
【０１１３】
そして、制御部１００は、ユーザによる設定操作がショートカット設定を行うための操作であったと判定した場合（ステップＳ２０６：Ｙｅｓ）、表示部１０１に現時点で設定可能なショートカットＳＣの一覧を表示させ（ステップＳ２０７）、その後、処理をステップＳ２０８へ移す。
【０１１４】
このとき、制御部１００は、表示制御部１３０に予め記憶している複数種類の操作用画像１３１のうち、現時点でコマンド列テーブル１２２に記憶されている各コマンド列の末尾のコマンドによって表示される携帯画像に対応した操作用画像１３１の一覧をショートカットＳＣの一覧として表示させる。
【０１１５】
一方、ステップＳ２０６において、制御部１００は、ユーザによる設定操作がショートカット設定を行うための操作でなかったと判定した場合（ステップＳ２０６：Ｎｏ）、処理をステップＳ２１０へ移して、その他の設定処理を実行する。
【０１１６】
このステップＳ２１０において、制御部１００は、ユーザによる各設定操作に基づき、たとえば、スピーカ１０２等のオーディオ機器に関する設定処理を実行し、その後、処理をステップＳ２０５へ移す。
【０１１７】
また、ステップＳ２０８において、制御部１００は、ステップＳ２０７で表示したショートカット一覧からショートカットＳＣが選択されたか否かの判定を行い、ショートカットＳＣが選択されていないと判定した場合（ステップＳ２０８：Ｎｏ）、ショートカットＳＣが選択されるまでステップＳ２０８の判定処理を行う。
【０１１８】
一方、制御部１００は、ショートカットＳＣが選択されたと判定した場合（ステップＳ２０８：Ｙｅｓ）、そのショートカットＳＣと当該ショートカットに対応する携帯画像を表示させるためのコマンド列とを対応付けてコマンド列テーブル１２２に記憶させることによって、コマンド列テーブル１２２を更新し（ステップＳ２０９）、その後、処理をステップＳ２０５へ移す。
【０１１９】
そして、ステップＳ２０５において、制御部１００は、ユーザにより設定終了操作が行われたか否かの判定を行い、設定終了操作が行われたと判定した場合（ステップＳ２０５：Ｙｅｓ）、処理を終了する一方、設定終了操作が行われていないと判定した場合（ステップＳ２０５：Ｎｏ）、処理をステップＳ２０１へ移す。
【０１２０】
次に、図９を参照して、制御部１００がステップＳ１０５で実行する連携ナビ表示処理について説明する。連携ナビ表示処理が開始されると、制御部１００は、図９に示すように、携帯電話機２からナビ画面に対応する画像データを受信し（ステップＳ３０１）、受信した画像データに基づいたナビ画面を表示部１０１に表示させると共に、そのナビ画面上にショートカットＳＣを表示させる（ステップＳ３０２）。
【０１２１】
その後、制御部１００は、ユーザによりショートカットＳＣが操作されたか否かの判定を行い（ステップＳ３０３）、ショートカットＳＣが操作されたと判定した場合（ステップＳ３０３：Ｙｅｓ）、操作されたショートカットＳＣに対応するコマンド列を携帯電話機２へ送信し（ステップＳ３０４）、その後、処理をステップＳ３０５へ移す。
【０１２２】
一方、制御部１００は、ショートカットＳＣが操作されていないと判定した場合（ステップＳ３０３：Ｎｏ）、処理をステップＳ３０６へ移し、車両の燃料がニアエンプティ状態であるか否かの判定を行う。
【０１２３】
そして、制御部１００は、燃料がニアエンプティ状態であると判定した場合（ステップＳ３０６：Ｙｅｓ）、表示部１０１に最寄りのＧＳの一覧を表示させるための「ＧＳ一覧」ショートカットＳＣを表示させ（ステップＳ３０７）、その後、処理をステップＳ３０５に移す。
【０１２４】
また、制御部１００は、燃料がニアエンプティ状態でないと判定した場合（ステップＳ３０６：Ｎｏ）、処理をステップＳ３０８へ移して、運転時間又は運転距離が所定値に達したか否かの判定を行う。ここでの運転時間とは、単なる運転時間の値を示すものではなく、運転者が単独で継続的に運転した車両の運転時間を示すものである。また、ここでの運転距離とは、単なる運転距離を示すものではなく、運転者が単独で継続的に運転した車両の運転距離を示すものである。
【０１２５】
そして、制御部１００は、運転時間又は運転距離のいずれか一方が所定値に達していないと判定した場合（ステップＳ３０８：Ｎｏ）、処理をステップＳ３０５へ移す。一方、制御部１００は、運転時間又は運転距離のいずれか一方が所定値に達したと判定した場合（ステップＳ３０８：Ｙｅｓ）、表示部１０１に最寄りの休憩所を表示させるための「休憩所一覧」ショートカットＳＣを表示させ（ステップＳ３０９）、その後、処理をステップＳ３０５へ移す。
【０１２６】
そして、ステップＳ３０５において、制御部１００は、携帯電話機２においてナビアプリ２１２が終了したか否かの判定を行い、ナビアプリ２１２が終了したと判定した場合（ステップＳ３０５：Ｙｅｓ）、処理を終了し、ナビアプリ２１２が終了していないと判定した場合（ステップＳ３０５：Ｎｏ）、処理をステップＳ３０１へ移す。
【０１２７】
このように、本実施形態の車載装置１は、携帯電話機２から取得した遷移情報１２１から携帯電話機２に画面遷移させるためのコマンド群を抽出して選択し、それらの各コマンドを携帯電話機２に予め規定された所定の画面遷移の遷移経路の順に配列してコマンド列を生成する。
【０１２８】
そして、この車載装置１は、生成した複数のコマンド列のうち、ユーザにより選択されたコマンド列と所定のショートカットＳＣとを対応付けてコマンド列テーブル１２２に記憶させ、コマンド列テーブル１２２に記憶しているショートカットＳＣを表示部１０１に表示させる。
【０１２９】
そのため、ユーザは、例えばナビアプリ２１２を用いた自宅までのルート案内等といった頻繁に表示させる携帯画面についてのみ、ショートカットＳＣを設定して車載装置１の表示部１０１に表示させておくことができる。
【０１３０】
また、この車載装置１は、ユーザが表示部１０１に表示されているショートカットＳＣを単一操作するだけで、そのショートカットＳＣに対応付けてコマンド列テーブル１２２に記憶しているコマンド列を携帯電話機２へ送信するため、ユーザによる車載装置１の操作は一回であるにも関わらず、携帯電話機２に、コマンド列の各コマンドに対応する複数の携帯操作が行われた場合と同様の画面遷移を行わせることができる。これによって、車載システムＳにおける車載装置１の操作性が向上する。
【０１３１】
また、この車載装置１は、判定部１１６により車両の状態が特定の状態になったと判定された場合、たとえば、燃料がニアエンプティ状態になったと判定された場合に、「ＧＳ一覧」のショートカットＳＣを表示させ、継続運転時間または継続運転距離を示す値が所定値に達したと判定された場合に、「休憩所一覧」のショートカットＳＣを表示させるため、燃料の残量が残り少なくなった場合に、容易に最寄りのＧＳを検索することができ、長時間の運転が継続された場合に、容易に最寄りの休憩所を検索することができる。
【０１３２】
また、本実施形態では、車載装置１において連携アプリ１２３が実行され、携帯電話機２でナビアプリ２１２が実行されている場合に、所定の目的画面に画面遷移させるためのショートカットＳＣを表示する場合について説明したが、本発明は、これに限定されるものではなく、ナビアプリ２１２とは無関係な携帯画面に画面遷移させるためのショートカットＳＣを表示させるように車載装置１を構成してもよい。
【０１３３】
たとえば、車載装置１において連携アプリ１２３が実行され、携帯電話機２で任意のアプリが実行されているときに、携帯電話機２の通話設定をハンズフリーモード（携帯電話機２を持たずに通話を可能とするモード）に設定する携帯画面や、音楽アプリ２１３が実行されていないときに音楽アプリ２１３を実行させる携帯画面等に画面遷移させるショートカットＳＣを表示するように構成してもよい。
【０１３４】
かかる構成とする場合、「ハンズフリー」というショートカットＳＣと、携帯電話機２に通話設定をハンズフリーモードに設定させるためのコマンド列とを対応付けてコマンド列テーブル１２２に記憶させておく。さらに、「音楽アプリ」というショートカットＳＣと携帯電話機２に音楽アプリ２１３を実行させるためのコマンド列をコマンド列テーブル１２２に記憶させておく。
【０１３５】
これにより、ユーザが「ハンズフリー」というショートカットＳＣを単一操作するだけで、携帯電話機２の通話設定をハンズフリーモードに設定することができ、「音楽アプリ」というショートカットＳＣを単一操作するだけで、携帯電話機２に音楽アプリ２１３を実行させることができるので、車載システムＳにおける車載装置１の操作性をより一層向上させることができる。
【０１３６】
また、車載装置１の表示部１０１に所定の文字情報を入力する画面が表示された場合、その画面上にカナ、英字、数字等からなるキーボード画像をショートカットＳＣとして表示させるように車載装置１を構成してもよい。
【０１３７】
かかる構成とする場合、キーボード内の各文字や数字と、携帯電話機２のテンキーを用いて各文字や数字を入力する際の画面遷移の遷移経路の順に配列したコマンド列とを対応付けてコマンド列テーブル１２２に記憶させておく。
【０１３８】
たとえば、ひらがなの「お」というショートカットＳＣと、携帯電話機２のテンキーの「１」を５回操作したときの画面遷移の遷移経路の順に配列したコマンド列とを対応付けてコマンド列テーブル１２２に記憶させておく。
【０１３９】
これにより、携帯電話機２を操作して、ひらがなの「お」を入力する場合に、５回の携帯操作が必要であるが、車載装置１では、「お」というショートカットＳＣを一回操作するだけで入力ができ、これによっても車載装置１の操作性が向上する。
【０１４０】
また、本実施形態では、車載装置１の表示部１０１として、タッチパネル機能を備えた表示装置を用い、この表示部１０１に表示させたショートカットＳＣを操作部１５０として機能させたが、これ以外にも、車載装置１に各ショートカットＳＣとして機能する複数スイッチを設け、各スイッチが操作された場合に、各スイッチに対応するコマンド列を携帯電話機２へ送信するように車載装置１を構成してもよい。
【０１４１】
かかる構成とすれば、ショートカットＳＣの表示が車載装置１の表示部１０１による携帯画面の表示を妨げることがないので、表示部１０１の表示領域を有効に利用することができる。
【０１４２】
また、本実施形態の図６に示す車載装置１において、制御部１００部分を車載装置１から着脱自在な制御ユニットにより構成してもよい。かかる構成とすれば、表示部１０１とスピーカ１０２を備えた比較的低機能のＤＡに、本実施形態の車載装置１における制御部１００と同様の機能を持つ制御ユニットを装着するだけで、ＤＡの高機能化を図ることができる。
【図面の簡単な説明】
【０１４３】
【図１】本実施形態に係る車載システムの概要を示す説明図である。
【図２】携帯電話機に予め規定されている階層的な画面遷移に関する情報を示す説明図である。
【図３】携帯電話機を操作して、携帯電話機の表示部に自宅までのルート案内を表示させるまでの画面遷移を示す説明図である。
【図４】車載装置の表示部を操作して、車載装置の表示部に自宅までのルート案内を表示させるまでの画面遷移を示す説明図である。
【図５】コマンド列テーブルの一例を示す説明図である。
【図６】本実施形態に係る車載装置および携帯電話機の構成を示す機能ブロック図である。
【図７】本実施形態に係る車載装置の制御部が実行する処理を示すフローチャートである。
【図８】本実施形態に係る車載装置の制御部が実行する処理を示すフローチャートである。
【図９】本実施形態に係る車載装置の制御部が実行する処理を示すフローチャートである。
【符号の説明】
【０１４４】
１  車載装置
１００  制御部
１０１  表示部
１１３  コマンド列生成部
１１４  遷移情報取得部
１１５  設定部
１１６  判定部
１２１  遷移情報
１２２  コマンド列テーブル
１２３  連携アプリ
１３０  表示制御部
１３１  操作用画像
１４０  車両情報取得部
１４１  燃料残量検知部
１４２  継続運転検知部
２  携帯電話機
２０１  表示部
２１０  制御部
２１１  連携アプリ
２１２  ナビアプリ
【図１】
2010127781.tif 000003
【図２】
2010127781.tif 000004
【図３】
2010127781.tif 000005
【図４】
2010127781.tif 000006
【図５】
2010127781.tif 000007
【図６】
2010127781.tif 000008
【図７】
2010127781.tif 000009
【図８】
2010127781.tif 000010
【図９】
2010127781.tif 000011